(57)【特許請求の範囲】
【請求項１】
固定筒に回転可能に設けられた摘み部材、並びにサムターン軸と共に回転可能なローター、ローターと交差するように固定筒内に配設され、かつ固定筒の係合溝と係脱する可動障害子、可動障害子に内端部側の脚部が係合し、先端部側の入力部が摘み部材の表面から突出するように摘み部材側の支軸を介して軸支された揺動レバー、揺動レバーを摘み部材がロック状態となるように可動障害子を係合方向に常時付勢する付勢手段を備えた防犯サムターンに於いて、前記可動障害子及び揺動レバーは、一体成形された１つ以上揺動レバーであり、該揺動レバーは、少なくとも、前記支軸を基準として先端部側に前記入力部を有し、一方、この入力部に連設する後端部側に前記可動障害子の機能を有する障害係合部及びサムターン軸の前方係合壁の係合部に係合する軸係合部を有することを特徴とする防犯サムターン。
【請求項２】
請求項１に於いて、ローターは、固定筒に回転自在に内装された筒状部と、この筒状部の先端部から摘み部材の内部まで延びる連結腕とを有し、前記連結腕に摘み部材が連結固定されていることを特徴とする防犯サムターン。
【請求項３】
請求項１に於いて、サムターン軸の前方係合壁には、ローターの後端部並びに揺動レバーの板状の軸係合部にそれぞれ係合する第１・第２係合部が設けられていることを特徴とする防犯サムターン。
【請求項４】
請求項１に於いて、付勢手段は、摘み部材の内部に配設されていることを特徴とする防犯サムターン。
【請求項５】
請求項１に於いて、支軸に同一構成の揺動レバーを合計二枚重ね合わせるように軸支し、これらの揺動レバーの入力部は、付勢手段を挟持した状態で摘み部材の表面と裏面の各窓から突出していることを特徴とする防犯サムターン。
【発明の詳細な説明】
【技術分野】
【０００１】
本発明は、摘み部材に設けられた操作入力部（スイッチ）を指で押圧しながら、かつ摘み部材を所定方向に回転する防犯サムターンに関する。
【背景技術】
【０００２】
特許文献１には、図１４で示すように、「扉の屋内面側に固定される固定筒２１と、該固定筒２１に回転自在に内設され錠箱の入出力軸３７に連結されるコア軸３５と、屋内側へ突出する板状の摘み４１を有し、かつ前記固定筒２１内に回転自在に内設されるサムターン筒４３と、該サムターン筒４３に軸線直交方向で摺動自在に内設され、かつ該サムターン筒４３の外周から突出して前記固定筒２１に係合することで該サムターン筒４３の回転を阻止する一対のストッパー４９、５１と、これらのストッパー４９、５１を係合方向に付勢する一対のストッパーバネ５３と、前記摘み４１の表裏面に突出され同時に押圧されることで前記ストッパー４９、５１の係合を同時に解除する一対のボタン脚６３、６５の各ボタン６３ｂ、６５ｂと、前記サムターン筒４３に固定されて一体回転する筒状ローター６７と、該ローター６７に内設され、かつ前記コア軸３５の突起板３９を挟持して該ローター６７の回転を前記コア軸３５に伝達するとともに、前記コア軸３５からの回転入力に対しては前記突起板３９によって開脚され、該開脚動作によって前記一対のストッパー４９、５１を係合解除方向に作動させる一対の挟持板６９、７１を具備したサムターン」が記載されている（図面及び符号は説明の便宜上特許公報と同一）。
【０００３】
図１４に於いて、固定筒２１は、その後端部側には一対の固定部２３、２３が突設され、これらの固定部２３、２３は固定穴２５がそれぞれ形成されている。一方、先端部側には中央穴２７を有する筒状の飾り筒２９が外嵌合する。したがって、固定筒２１は飾り筒２９を含み、この飾り筒２９の外周側には、先端が平坦な円錐形状の化粧リング３１が外装されている。また、固定筒２１は、その内部に一対のストッパー４９、５１の係合端部がそれぞれ同時に係脱する複数個の切欠状の係合溝５５を有している。
【０００４】
また、一対のボタン脚６３、６５は、一対のストッパー４９、５１とは別体に成形され、その支軸６１を基準にして、先端部側に摘み４１の窓から突出する入力部としてのボタン６３ｂ、６５ｂと、後端部に前記ストッパー４９、５１の脚端挿入孔４９ｂ、５１ｃに挿入される係合脚端６３ｃ、６５ｃとを有している。
【０００５】
なお、符号３３は化粧リング３１の後端の折り曲げ部３１ａと飾り筒２９の後端面との間に配設されたバネ、符号７５はローター６７に内装された一対の挟持板バネ、符号９１は回転伝達機構である。
【０００６】
ここで、特許文献１のサムターン１００の問題点（これらは本願発明の実施例との主な相違点）を簡単に指摘すると次の通りである。
（１）一対のボタン脚６３、６５と、これらのボタン脚６３、６５の入力によって固定筒２１の半径方向に移動する一対のストッパー４９、５１とはそれぞれ別個の部材である。したがって、入力部材としてのボタン脚６３、６５と作動障害子としてのストッパー４９、５１とを合計すると「４つの部材」と成り、摘み側の入力部材及び作動障害子の部品点数が多くなる。
（２）一対のストッパー４９、５１及びサムターン軸（コア軸）３５の突起板３９にそれぞれ係合する一対の挟持板６９、７１はそれぞれ別個の部材である。したがって、前記（１）の場合と同様に入出力軸３７（ダルマ側）からサムターン軸３５を介して動かされる部材の数が多く成る。前記（１）と（２）の理由により、回転伝達機構を構成する部品点数が非常に多く成る。
（３）また、２個のストッパーバネ５３の両端部は、一対のストッパー４９、５１が固定筒２１の係合溝５５に係合するように該一対のストッパー４９、５１の鉤状取付け部に対してそれぞれ互いに連係するように張架しなければならので、取付けが面倒である。
【０００７】
なお、特許文献１の発明の特徴部分（中核）は、「固定筒に回転可能に内装され摘み部材並びにサムターン軸と共に回転可能なローター、ローターと交差するように固定筒内に配設され、かつ固定筒の係合溝と係脱する可動障害子、可動障害子に内端部側の脚部が係合し、先端部側の入力部が摘み部材の表面から突出するように摘み部材側の支軸を介して軸支された揺動レバー、揺動レバーを摘み部材がロック状態となるように可動障害子を係合方向に常時付勢する付勢手段を備えた防犯サムターン」と考えられる。
【０００８】
したがって、本願発明の考え方は、一部を除き、基本的には特許文献１の発明の特徴部分と共通する。また、防犯サムターンの摘み部材の具体的構成、特にキャップは、特許文献２に記載されている。
【特許文献１】特開２００５−４２４９８号公報
【特許文献２】特開２００６−２５３７号公報
【発明の開示】
【発明が解決しようとする課題】
【０００９】
本発明の所期の目的は、摘み側の入力部材及び作動障害子の部品点数を少なくすることである。第２の目的は、サムターン軸に改良を加え、特許文献１でいう回転伝達機構を構成する部品点数を極力少なくすること。第３の目的は、揺動レバーを付勢する付勢手段を簡単に取り付けることができることである。
【課題を解決するための手段】
【００１０】
本発明の防犯サムターンは、固定筒に回転可能に設けられた摘み部材、並びにサムターン軸と共に回転可能なローター、ローターと交差するように固定筒内に配設され、かつ固定筒の係合溝と係脱する可動障害子、可動障害子に内端部側の脚部が係合し、先端部側の入力部が摘み部材の表面から突出するように摘み部材側の支軸を介して軸支された揺動レバー、揺動レバーを摘み部材がロック状態となるように可動障害子を係合方向に常時付勢する付勢手段を備えた防犯サムターンに於いて、前記可動障害子及び揺動レバーは、一体成形された１つ以上揺動レバーであり、該揺動レバーは、少なくとも、前記支軸を基準として先端部側に前記入力部を有し、一方、この入力部に連設する後端部側に前記可動障害子の機能を有する障害係合部及びサムターン軸の前方係合壁の係合部に係合する軸係合部を有することを特徴とする。
【００１１】
上記構成に於いて、ローターは、固定筒に回転自在に内装された筒状部と、この筒状部の先端部から摘み部材の内部まで延びる連結腕とを有し、前記連結腕に摘み部材が固定されている。また、サムターン軸の前方係合壁には、ローターの後端部並びに揺動レバーの軸係合部にそれぞれ係合する複数個の係合部が設けられている。さらに、付勢手段は、摘み部材の内部に配設されている。加えて、支軸に同一構成の揺動レバーを合計二枚重ね合わせるように軸支し、これらの揺動レバー３２Ａ、３２Ｂのボタン状入力部は、付勢手段を挟持した状態で摘み部材の表面と裏面の各窓から同時に突出している。
【発明の効果】
【００１２】
（ａ）摘み側の入力部材及び作動障害子の部品点数を少なくすることができる。
（ｂ）全体として、特許文献１で言う回転伝達機構を構成する部材の部品点数が少なく成る。
（ｃ）揺動レバーを付勢する付勢手段を簡単に取り付けることができる。
【発明を実施するための最良の形態】
【００１３】
以下、図１乃至図８に示す本発明を実施するための最良の形態（第１実施例）により説明する。
【００１４】
（１）発明の実施の環境
発明の実施の環境は、図１４の一例（特許文献１）と同様である。但し、本発明のサムターン１は扉の屋内面側にのみ取付けられるものではなく、扉の屋外面側にも取付け可能である。以下、本発明の特定要件について順次説明するが、細部的な事項は図面及びその説明を割愛する。なお、括弧の符号は、図１４の従来の実施例の構成部分に相当する。
【００１５】
（２）固定筒２と主たる部材
図１はサムターン１（１００）の斜視図、図２は内部構造を示す概略縦断面説明図、図３は本発明を構成する揺動レバー３２（４９、５１）を示す斜視図、図４は内部構造を示す概略横断面説明図である。
【００１６】
図２乃至図４で示すように、固定筒２（２１）は不番の大径筒部分と、この大径筒部分に段差状に連設する小径筒部分を有している。固定筒２の内部には本発明の主たる部材（揺動レバー３２、ローター１１及びサムターン軸４５）の一部がそれぞれ組み込まれていることから、サムターン１のハウジングに相当する。
【００１７】
しかして、３は固定筒２の収納内部で、この収納内部３を形成する内周壁には揺動レバー３２用の係合溝４（５５）がサムターン軸４５（コア軸３５）の軸方向に単数又は複数個設けられている。
【００１８】
固定筒２の収納内部３は、該固定筒２の先端部に形成された中央開口５に連通している。中央開口５の半径は収納内部３のそれよりも小径である。また、固定筒２の収納内部３の後端部の内周壁には、周方向に溝６が形成され、該溝６には抜け止め片７が差し込まれている。
【００１９】
したがって、ローター１１の収納内部３に固定筒２の筒状部１２及びサムターン軸４５の前部をそれぞれ嵌合した場合には、固定筒２の不番の先端部中央縁部分はローター１１に対するストッパーの機能を果し、一方、抜け止め片７はサムターン軸４５に対するストッパーの機能を果す。なお、図４の符号８は図示しない固着具用の貫通孔である。
【００２０】
（３）ローター１１
ローター１１（６７）は、固定筒２内に回転可能に設けられ、かつ摘み部材４１（摘み４１）並びにサムターン軸４５（コア軸３５）と共に回転する。ローター１１は、操作用入力部３８を指で押圧しながら摘み部材４１を所定方向に回した場合には摘み部材４１と一体的に回転し、サムターン軸４５はローター１１と共働回転する。
【００２１】
一方、本発明の限定要件ではないが、錠箱側の作動部材（例えばダルマ）が、例えばシリンダ錠の作動軸によって回転した場合には、ローター１１はサムターン軸４５と共に共働する。摘み部材４１はサムターン軸４５が回転するとローター１１を介して回転する。
【００２２】
図５はローター１１の斜視図である。この図５を参照にすると、ローター１１は、固定筒２に回転自在に内装された筒状部１２と、この筒状部の先端部から摘み部材４１の内部まで延びる一対の連結腕１３と、前記筒状部１２の後端部に形成され、かつサムターン軸４５の前部側の弧状第１係合部４６（弧状突起部分）の端面とそれぞれ係合する（当たる）左右一対の突片状端係合部１４とから成る。
【００２３】
しかして、前記一対の連結腕１３は、筒状部１２の先端部から所定間隔１５を有して水平方向に延在し、前記所定間隔１５内には揺動レバー３２が入り込む。そして、連結腕１３は筒状部１２側の軸孔１６と、この軸孔１６によりも先端側に形成された連結孔１７をそれぞれ有している。
【００２４】
また、本実施例のローター１１は、筒状部１２の後端部に揺動レバー３２の障害係合部３６を案内する切欠状のガイド溝１８が形成されている。このガイド溝１８は、揺動レバー３２が単数の場合（本実施例）には「一つ」である。
【００２５】
さらに、図７及び図８を参照にすると、筒状部１２の後端部には、揺動レバー３２及びサムターン軸４５の両方の係合関係を考慮して色々と設計変更が成されている。
【００２６】
すなわち、符号１９は左右一対の端係合部１４の間にそれぞれ弧状に形成されたサムターン軸用の弧状案内部（弧状切欠部分）、２０は周端部から所要の空間内にハの字状に延びたサムターン軸用の指先状支持部、２２は支持部２０の上方に設けられた揺動レバー用の面状受け部である。その他の細部的事項の説明は割愛する。
【００２７】
（４）揺動レバー３２
揺動レバー３２（４９、５１）は、本実施例では「一つ成形品」である。この揺動レバー３２の障害係合部３６は、固定筒１の係合溝４と係脱するようにローター１１の筒状部１２にガイド溝１８を介して配設され、一方、障害係合部３６に連設する入力部３８側は、摘み部材４１の一側表面から突出するように該摘み部材側の支軸３３を介して軸支されている。なお、入力部３８は、特許文献１のそれと同様に指で押圧される操作用入力手段（手動スイッチ）である。なお、図３に示す人差し指状の揺動レバー３２は、ローター１１の先端部に突出形成された一対の連結腕１３に軸架された支軸３３に挟まれた状態で軸支されている。
【００２８】
図３を参照にして揺動レバー３２の構成を説明する。この揺動レバー３２は、外観上、人差し指状部分と、この人差し指状部分の後端部上面に設けられた水平板部分とから成る。
【００２９】
しかして、３４は人差し指状部分の中央部に形成された支軸用軸孔、３６は人差し指状部分の後端部に交差方向に延在し、かつ固定筒２の係合溝４と係脱する障害係合部（可動障害子の機能を有する）、３７は人差し指状部分の後端部上面に段差状に設けられ、かつサムターン軸４５の前部の係合軸部４７ａと係合する板状の軸係合部、そして、３８は人差し指状部分の先端部上面に段差状に設けられたボタン状入力部である。前記入力部３８は、図１及び図２で示すように所定形状の摘み部材４１（４１）の一側上面に形成した窓から突出する。
【００３０】
したがって、本実施例の揺動レバー３２は、摘み部材４１側の支軸３３に軸支され、該支軸３３を基準として先端部側に前記入力部３８を有し、一方、この入力部３８に連設する後端部側に可動障害子の機能を有する障害係合部３６並びにサムターン軸４５と係合する板状の軸係合部３７の両方を有する少なくとも１つの揺動片である点が特許文献１の実施例と異なる。
【００３１】
（５）付勢手段
付勢手段４３（スッパーバネ５３）は、摘み部材４１がロック状態と成るように揺動レバー４５を付勢する。本実施例の付勢手段４３は、図２で示すように摘み部材４１の内部に形成したバネ収納部４２に収納され、一端部は揺動レバー３２の先端部に形成した不番の凹所状バネ端支持部に支持されている。したがって、揺動レバー３２は、常態では、付勢手段４３のバネ力により、その先端部側の入力部３８が摘み部材４１の一側表面から突出し、一方、後端部側の障害係合部３６はローター１１の筒状部１２のガイド溝１８から突出して固定筒２の係合溝４に係合している（摘み部材４１がロック状態）。
【００３２】
（６）サムターン軸４５
前述したように、ローター１１は、固定筒２に回転自在に内装された筒状部１２と、この筒状部の先端部から摘み部材４１の内部まで延びる連結腕１３と、前記筒状部１２の後端部に形成され、かつサムターン軸４５の前部側の係合部と係合する少なくとも一つ以上の端係合部１４、１９、２０とを有する。
【００３３】
そこで、本実施例のサムターン軸４５の円形前部（前方係合壁）は、ローター１１の端係合部１４、１９、２０の形状に対応して、複数個の係合部或いは被係合部を有している。ここでは、図６乃至図８を参照にして、サムターン軸４５の前方係合壁に突出形成された複数個の係合部或いは被係合部について説明する。
【００３４】
符号４６はサムターン軸４５の前部側の周端面に対向状態に形成された合計２個の弧状第１係合部（弧状突起部分）で、これらの弧状第１係合部４６の左右端面は、例えばシリンダ錠を操作してサムターン軸４５が左右いずれかの方向に回転すると、ローター１１の左右一対の突片状端係合部１４のいずれかに当たる。一方、逆に摘み部材を操作した場合には、ローター１１の左右一対の突片状端係合部１４がサムターン軸４５の弧状第１係合部４６の端面いずれかに当たる（図７、図８を参照）。その際、サムターン軸４５の弧状第１係合部４６はローター１１の左右の端係合部１４間の弧状案内部１９にそれぞれ案内される。
【００３５】
また、符号４７はサムターン軸４５の前部側の中央部に突設された第２係合部で、この第２係合部４７は、本実施例では、揺動レバー３２の板状軸係合部３７と係合する板状の係合軸部４７ａと、この板状係合軸部４７ａの一側面に半円弧状に連設し、かつローター１１のハ字形状の支持部２０の傾斜状端面に支持される摺接部４７ｂとから成る。なお、サムターン軸４５の前部に連設する後部側には、特許文献１と同様に外周に係合歯を有する入出力軸部４８が突出形成されている。
【００３６】
（７）摘み部材４１、センタリングバネ等
摘み部材４１、センタリングバネ等の具体的構成は、本発明の特定要件ではないので、詳細な説明を割愛する。なお、図示しないセンタリングバネは、その余の発明の目的を達成するために、サムターン軸の前部に形成した周溝と嵌め込まれている。
【００３７】
（８）作用
揺動レバー３２の入力部３８を指で押圧すると、揺動レバー３２は付勢手段４３のバネ力に抗しながら支軸３３を支点に回転（揺動）する。そうすると、揺動レバー３２の障害係合部３６は固定筒２の係合溝４から抜けることから、摘み部材４１に対するロック状態が解消し、操作者は、入力部３８を押圧しながら摘み部材４１を所定方向に回すことが可能となる。
【００３８】
そこで、摘み部材４１を所定方向に回転すると、摘み部材４１に一体的に連結されたローター１１（６７）は固定筒２内に回転可能に設けられているので、ローター１１は摘み部材４１と共働して同方向に回転する。ローター１１が回転すると、サムターン軸４５の前部の係合部はローター１１の端係合部１４と係合していることから、ローター１１によって同方向に回される。したがって、ローター１１は、固定筒２内に回転可能に設けられ、かつ摘み部材４１（摘み４１）並びにサムターン軸４５と共に回転する。
【００３９】
一方、錠箱側の作動部材（例えばダルマ）が、例えばシリンダ錠の作動軸によって回転した場合には、ローター１１はサムターン軸４５と共に共働する。摘み部材４１はサムターン軸４５が回転するとローター１１を介して回転する。なお、図８は、摘み部材４１側から操作した場合と、錠箱側のシリンダ錠側から操作した場合とをそれぞれ兼用する説明図である。
【実施例】
【００４０】
この欄では、図９乃至図１３を参照にして、本発明の第２実施例を説明する。この第２実施例と本発明の第１実施例の基本的な技術思想は同一である。したがって、説明の便宜上、同一構成には同一又は同様の符号を付して重複する説明を省略する。主に異なる点を列挙すると、次のとおりである。
（ａ）第２実施例では、摘み部材４１Ａ側の支軸３３に同一構成の揺動レバー３２Ａ、３２Ｂを「合計二枚」重ね合わせるように軸支した点である。
（ｂ）揺動レバー３２Ａ、３２Ｂの各入力部３８が、一つの付勢バネ４３を挟持した状態で摘み部材４１Ａの表面と裏面の各窓から同時に突出している点である。
（ｃ）揺動レバー３２Ａ、３２Ｂは、鋏揺動することができるように適宜に形成されている点である。付言すると、支軸３３を基準として、先端部側の上下の入力部３８は、同一垂直面状に位置するように中央部の面接触部分よりも幅広に突出形成され、一方、前記中央部の面接触部分に連設する後端部側の障害係合部３６は互いに反対方向に延在して固定筒２Ａの対向係合溝４にそれぞれ係合していると共に、前記後端部側の軸係合部２７も、サムターン軸４５Ａの第２係合部４７としての板状係合軸部をサンドイッチ状に挟むように延在している（図１２参照）。
（ｄ）したがって、サムターン軸４５Ａの第２係合部４７も、揺動レバー３２Ａ、３２Ｂが二つであることから、シンプルな板状の係合軸部だけとなり、半円弧状の摺接部は存在しない。
（ｅ）それ故に、ローター１１Ａの後端環状部には、前記半円弧状の摺接部を支持するハ字形状の指先状支持部が形成されていない。
【産業上の利用可能性】
【００４１】
本発明は、主に錠前や建具の業界で利用される。
【図面の簡単な説明】
【００４２】
図１乃至図８は本発明の第１実施例示す各説明図。図９乃至図１３は本発明の第２実施例。
【図１】第１実施例の斜視図。
【図２】縦断面概略説明図。
【図３】揺動レバーの斜視図。
【図４】横断面概略説明図。
【図５】ローターの斜視図。
【図６】サムターン軸の前部側からの斜視図。
【図７】サムターン軸の前部の適宜箇所を縦断面し、サムターン軸とローターとの係合関係、サムターン軸と揺動レバーとの係合関係等を示す概略説明図。
【図８】主たる部材の作動状態を示す概略説明図。
【図９】第１実施例の主要部の外観構成を示す斜視図。
【図１０】図２と同様の縦断面概略説明図。
【図１１】図４と同様の横断面概略説明図。
【図１２】図７と同様の概略説明図。
【図１３】図８と同様の概略説明図。
【図１４】従来の一例を示す概略断面説明図。
【符号の説明】
【００４３】
１…防犯サムターン、２、２Ａ…固定筒、３…収納内部、４…係合溝、１１、１１Ａ…ローター、１２…筒状部、１３…連結腕、１４…端部係合部、１５…所定間隔、１６…連結腕の軸孔、１７…連結孔、３２、３２Ａ、３２Ｂ…揺動レバー、３３…支軸、３４…揺動レバーの軸孔、３６…障害係合部、３７…軸係合部、３８…入力部、４１、４１Ａ…摘み部材、４３…付勢手段、４５、４５Ａ…サムターン軸、４６…第１係合部、４７…第２係合部、４７ａ…係合軸部、４７ｂ…摺接部、４８…入出力軸部。
【図１】
0005004710.tif 000002
【図２】
0005004710.tif 000003
【図３】
0005004710.tif 000004
【図４】
0005004710.tif 000005
【図５】
0005004710.tif 000006
【図６】
0005004710.tif 000007
【図７】
0005004710.tif 000008
【図８】
0005004710.tif 000009
【図９】
0005004710.tif 000010
【図１０】
0005004710.tif 000011
【図１１】
0005004710.tif 000012
【図１２】
0005004710.tif 000013
【図１３】
0005004710.tif 000014
【図１４】
0005004710.tif 000015